(57)【要約】      （修正有）【課題】地下足袋にファッション性をもたらし、外観品質を向上させることができると共に、使用者の安全性の向上も図れる地下足袋を提供する。【解決手段】プリント基板１１と、プリント基板１１上に配設された、電池１２と、電池１２から供給される電源の開閉操作を行うスイッチ部材１３と、スイッチ部材１３により回路が閉成された場合に発光する発光部材１４、１５とを有する発光装置１６が踵部に埋設され、発光装置１６は開閉可能に形成された蓋部１８を有する収納容器１９内に収納され、蓋部１８を閉めた状態で踵部内に取り出し可能に埋設されていると共に踵部には発光装置１６が発光した際の光を外方へ導く窓部３２が設けられるように構成されている。【選択図】図２
0003212322.tif 000002
【実用新案登録請求の範囲】
【請求項１】
プリント基板と、前記プリント基板上に配設された、電池と、前記電池から供給される電源の開閉操作を行うスイッチ部材と、前記スイッチ部材により回路が閉成された場合に発光する発光部材とを有する発光装置が踵部に埋設され、
前記発光装置は開閉可能に形成された蓋部を有する収納容器内に収納され、前記蓋部を閉めた状態で踵部内に取り出し可能に埋設されていると共に前記踵部には前記発光装置が発光した際の光を外方へ導く窓部が設けられていることを特徴とする地下足袋。
【請求項２】
前記スイッチ部材は、使用者の体重を検知して回路を閉成する感圧スイッチであることを特徴とする請求項１記載の地下足袋。
【請求項３】
前記踵部には上方に開口する凹部が形成され、前記凹部内に前記発光装置が収納されていることを特徴とする請求項１記載の地下足袋。
【請求項４】
前記発光部材は、単色又は一定の速度で色が変化するＬＥＤ電球であることを特徴とする請求項１記載の地下足袋。
【請求項５】
前記発光部材は衝撃吸収材を介して前記収納容器内に収納されていることを特徴とする請求項１記載の地下足袋。    
【請求項６】
前記スイッチ部材として、前記感圧スイッチが作動することにより回路を閉成させうる基本電源スイッチをさらに有し、前記基本電源スイッチは前記収納容器の外方に突出して開閉操作しうるレバー部材を有することを特徴とする地下足袋。
【考案の詳細な説明】
【技術分野】
【０００１】
本考案は、地下足袋に係り、特に、発光装置を備えた地下足袋に関するもので
ある。
【背景技術】
【０００２】
スニーカー等の運動靴や、サンダル等の中には、夜間時の歩行に際して走行車両等に歩行者の居場所を示すための光を反射させる反射シートを踵部に貼着して、歩行者の安全性を考慮したものや、歩行中にスニーカー等の運動靴や、サンダル等の靴底全体が傾いたり、靴底又はヒール部分に荷重が加わることによってライトが点灯する発光装置を備えた安全性だけでなく、ファッション性も兼ね備えた発行機能付きのものが知られている。
それに対して、建設現場等の作業者が履く地下足袋には、靴底の踵部にエアクッション部材を設ける等の作業者の足にかかる負担を軽減するといった作業上の安全性は考慮されているが、ファッション性をもたらすといった外観品質を向上させることは考慮されておらず、また薄暗くなる時間帯の作業や薄暗い場所における安全性も考慮されていなかった。
従って、作業者はファッション性のある自分好みの地下足袋を選択することはできず、また建設現場等の作業者は、作業場所や時間帯によっては安全性が確保できないおそれがあるという不具合があった。
【０００３】
本件出願人は、このような観点から先行技術の調査を行い、特許文献１〜３のような文献を発見したが、前記要請に応えられる技術ではなかった。
【特許文献１】実登第３０７４９４０号公報
【特許文献２】特開平１１−９９００６号公報
【特許文献３】特開平１１−１２０８０３号公報
【考案の概要】
【考案が解決しようとする課題】
【０００４】
本考案の課題は、地下足袋にファッション性をもたらし、外観品質を向上させることができると共に、使用者の安全性の向上も図れる地下足袋を提供することである。
【課題を解決するための手段】
【０００５】
前記課題達成のため、請求項１記載の考案にあっては、プリント基板と、前記プリント基板上に配設された、電池と、前記電池から供給される電源の開閉操作を行うスイッチ部材と、前記スイッチ部材により回路が閉成された場合に発光する発光部材とを有する発光装置が踵部に埋設され、前記発光装置は開閉可能に形成された蓋部を有する収納容器内に収納され、前記蓋部を閉めた状態で踵部内に取り出し可能に埋設されていると共に前記踵部には前記発光装置が発光した際の光を外方へ導く窓部が設けられていることを特徴とする。
【０００６】
従って、請求項１記載の考案にあっては、前記発光装置は開閉可能に形成された蓋部を有する収納容器内に収納されていることから、前記蓋部を閉めた状態を維持することにより外部から前記収納容器内に埃等が入ることを防ぐと共に、使用中に前記発光部材等が破損することを防ぐ。
また、前記踵部には前記発光装置が発光した際の光を外方へ導く窓部が設けられていることから、前記発光部材が発光すると外方から前記窓部を介して光が見える。
【０００７】
請求項２記載の考案にあっては、前記スイッチ部材は、使用者の体重を検知して回路を閉成する感圧スイッチであることを特徴とする。
【０００８】
従って、請求項２記載の考案にあっては、前記スイッチ部材は、使用者の体重を検知して回路を閉成する感圧スイッチであることから、使用者の足が前記感圧スイッチ部材上に載ることにより感圧スイッチが押される。
【０００９】
請求項３記載の考案にあっては、前記踵部には上方に開口する凹部が形成され、前記凹部内に前記発光装置が収納されていることを特徴とする。
【００１０】
従って、請求項３記載の考案にあっては、前記踵部には上方に開口する凹部が形成されていることから、前記開口から発光装置を凹部内に収納することができる。
【００１１】
請求項４記載の考案にあっては、前記発光部材は、単色又は一定の速度で色が変化するＬＥＤ電球であることを特徴とする。
【００１２】
従って、請求項４記載の考案にあっては、前記発光部材は、単色又は一定の速度で色が変化するＬＥＤ電球であることから、好みの発光色を選択することが可能となる。
【００１３】
請求項５記載の考案にあっては、前記発光部材は衝撃吸収材を介して前記収納容器内に収納されていることを特徴とする。
【００１４】
従って、請求項５記載の考案にあっては、前記発光部材は衝撃吸収材を介して前記収納容器内に収納されていることから、歩行時に前記発光部材等に伝わる振動及び衝撃を軽減させる。
【００１５】
請求項６記載の考案にあっては、前記スイッチ部材として、前記感圧スイッチが作動することにより回路を閉成させうる基本電源スイッチをさらに有し、前記基本電源スイッチは前記収納容器の外方に突出して開閉操作しうるレバー部材を有することを特徴とする。
【００１６】
従って、請求項６記載の考案にあっては、前記基本電源スイッチは前記収納容器の外方に突出して開閉操作しうるレバー部材を有することから、レバー部材を操作して作動させる。
【考案の効果】
【００１７】
請求項１記載の考案に係る発光装置を備えた地下足袋にあっては、プリント基板と、前記プリント基板上に配設された、電池と、前記電池から供給される電源の開閉操作を行うスイッチ部材と、前記スイッチ部材により回路が閉成された場合に発光する発光部材とを有する発光装置が踵部に埋設され、前記発光装置は開閉可能に形成された蓋部を有する収納容器内に収納され、前記蓋部を閉めた状態で踵部内に取り出し可能に埋設されていると共に前記踵部には前記発光装置が発光した際の光を外方へ導く窓部が設けられ、前記発光装置は開閉可能に形成された蓋部を有する収納容器内に収納されていることから、前記蓋部を閉めた状態においては外部から前記収納容器内に埃等が入ることを防ぐことができると共に、使用中に前記発光部材等が破損することも防ぐことができる。
また、前記踵部には前記発光装置が発光した際の光を外方へ導く窓部が設けられていることから、前記発光部材が発光すると外方から前記窓部を介して光が見える。
【００１８】
その結果、地下足袋にファッション性をもたらし、外観品質を向上させることができると共に、使用者の安全性の向上も図れる地下足袋を提供することができる。
【００１９】
請求項２記載の考案に係る発光装置を備えた地下足袋にあっては、前記スイッチ部材は、使用者の体重を検知して回路を閉成する感圧スイッチであり、使用者の足が前記感圧スイッチ部材上に載ることにより感圧スイッチが押されることから、使用者が履いた際には迅速に発光装置が作動して発光し、また使用者が脱いだ際には発光装置の作動が停止する使い易い地下足袋を提供することができる。
【００２０】
請求項３記載の考案に係る発光装置を備えた地下足袋にあっては、前記踵部には上方に開口する凹部が形成され、前記凹部内に前記発光装置が収納されていることから、発光装置が損傷することなく地下足袋に装着することができる。
また、踵部内から踵部側方へ発光させることができる。
【００２１】
請求項４記載の考案に係る発光装置を備えた地下足袋にあっては、前記発光部材は、単色又は一定の速度で色が変化するＬＥＤ電球であることから、好みの発光色を選択することが可能となるので、使用者は他人とは異なる地下足袋を所持することができる。
【００２２】
その結果、使用者はファッション性の高い地下足袋を仕事中に履くことができる。
【００２３】
請求項５記載の考案に係る発光装置を備えた地下足袋にあっては、前記発光部材は衝撃吸収材を介して前記収納容器内に収納され、前記発光部材は衝撃吸収材を介して前記収納容器内に収納されていることから、歩行時に前記発光部材等に伝わる振動及び衝撃を軽減させるため、より確実に歩行中に前記発光装置を構成する部材の破損を防ぐことができる。
【００２４】
請求項６記載の考案に係る発光装置を備えた地下足袋にあっては、前記スイッチ部材として、前記感圧スイッチが作動することにより回路を閉成させうる基本電源スイッチをさらに有し、前記基本電源スイッチは前記収納容器の外方に突出して開閉操作しうるレバー部材を有することから、前記基本電源スイッチの入りきりが容易となるので、長期間履かない場合や発光させたくない場合には、収納容器の外側から手軽に前記レバー部材を操作することができる。
【００２５】
その結果、使用者の判断によって自由に前記基本電源スイッチの操作が可能となるので、作業場所や周囲の状況に合わせて発光の有無を決めることができる。
【図面の簡単な説明】
【００２６】
【図１】図１は、本考案の一実施の形態に係る地下足袋の踵部に形成された上方に開口する凹部に収納される発光装置の蓋部を開いた状態を示す平面図である。
【図２】図２は、本考案の一実施の形態に係る地下足袋の踵部に形成された上方に開口する凹部に収納されている状態を示す平面図である。
【図３】図３は、本考案の一実施の形態に係る地下足袋の踵部に形成された上方に開口する凹部の位置を示す側面図である。
【図４】図４は、本考案の一実施の形態に係る地下足袋の踵部に形成された上方に開口する凹部に収納される発光装置の回路図である。
【考案を実施するための最良の形態】
【００２７】
以下、添付図面に示す実施の形態に基づき、本考案を詳細に説明する。
図１及び図２に示すように、本実施の形態に係る地下足袋１０にあっては、プリント基板１１と、プリント基板１１上に配設された、電池１２と、電池１２から供給される電源の開閉操作を行うスイッチ部材１３と、スイッチ部材１３により回路２３が閉成された場合に発光する発光部材１４、１５とを有する発光装置１６が踵部１７に埋設されるように構成されている。
【００２８】
また、発光装置１６は開閉可能に形成された蓋部１８を有する収納容器１９内に収納され、蓋部１８を閉めた状態で踵部１７内に取り出し可能に埋設されると共に踵部１７には発光装置１６が発光した際の光を外方へ導く窓部３２、３２が設けられるように構成されている。
【００２９】
図１及び図２に示すように、本実施の形態に係る地下足袋１０にあっては、スイッチ部材１３は、使用者の体重を検知して回路２３を閉成する感圧スイッチ１３ａから構成されている。
【００３０】
図３に示すように、本実施の形態に係る地下足袋１０にあっては、踵部１７には上方に開口する凹部２０が形成され、凹部２０内に発光装置１６が収納されるように構成されている。
【００３１】
図１及び図２に示すように、本実施の形態に係る地下足袋１０にあっては、発光部材１４、１５は、単色又は一定の速度で色が変化するＬＥＤ電球から構成されている。
【００３２】
図１及び図２に示すように、本実施の形態に係る地下足袋１０にあっては、発光部材１４、１５は衝撃吸収材２１を介して収納容器１９内に収納されるように構成されている。
【００３３】
図１及び図２に示すように、本実施の形態に係る地下足袋１０にあっては、スイッチ部材１３として、感圧スイッチ１３ａが作動することにより回路２３を閉成させうる基本電源スイッチ１３ｂをさらに有し、基本電源スイッチ１３ｂは収納容器１９の外方に突出して開閉操作しうるレバー部材２２を有するように構成されている。
【００３４】
図１及び図２に示すように、本実施の形態に係る地下足袋１０にあっては、収納容器１９には、収納容器１９の蓋部１８を開閉するための突起部２４が設けられている。
【００３５】
図１、図２及び図４に示すように、本実施の形態に係る地下足袋１０にあっては、発光装置１６を構成する部材は、プリント基板１１上に配設された、電池１２と、電池１２から供給される電源の開閉操作を行うスイッチ部材１３と、スイッチ部材１３により回路２３が閉成された場合に発光する発光部材１４、１５の他に、抵抗器２５、２７、トランジスタ２６、コンデンサ２８が配設されている。
【００３６】
図１及び図２に示すように、本実施の形態に係る地下足袋１０にあっては、発光装置１６を作動させるために電池１２を２枚必要とし、電池１２は上下に２枚重ねて電池収納部２９に収納されている。
【００３７】
図３に示すように、本実施の形態に係る地下足袋１０にあっては、靴底３３の踵部１７寄りに上方に開口する凹部２０が設けられ、凹部２０を上方から覆うように中敷き３０とゴムパッキン３１が重ねて載置されている
【００３８】
図２及び図３に示すように、本実施の形態に係る地下足袋１０にあっては、踵部１７には、合成樹脂製である透明部材から構成される窓部３２、３２が設けられ、凹部２０と窓部３２、３２が略平行に並ぶように構成されている。
【００３９】
図２及び図３に示すように、本実施の形態に係る地下足袋１０にあっては、靴底３３に設けられた上方に開口する凹部２０は略直方体形状に構成されている。
【００４０】
以下、本実施の形態に係る地下足袋の作用及び効果について説明する。
図１及び図２に示すように、本実施の形態に係る地下足袋１０あっては、プリント基板１１と、プリント基板１１上に配設された、電池１２と、電池１２から供給される電源の開閉操作を行うスイッチ部材１３と、スイッチ部材１３により回路２３が閉成された場合に発光する発光部材１４、１５とを有する発光装置１６が踵部１７に埋設されるように構成され、発光装置１６は開閉可能に形成された蓋部１８を有する収納容器１９内に収納され、蓋部１８を閉めた状態で踵部１７内に取り出し可能に埋設されると共に踵部１７には発光装置１６が発光した際の光を外方へ導く窓部３２、３２が設けられるように構成されていることから、蓋部１８を閉めた状態においては外部から収納容器１９内に埃等が入ることを防ぐことができると共に、使用中に発光部材１４、１５等が破損することも防ぐことができる。
また、踵部１７には発光装置１６が発光した際の光を外方へ導く窓部３２、３２が設けられていることから、発光部材１４、１５が発光すると外方から窓部３２、３２を介して光が見える。
【００４１】
従って、使用者は、好みの色彩が発光するというファッション性を有し、外観品質が向上した地下足袋１０を履くことができると共に、発光部材１４、１５を有することから薄暗くなる時間帯の作業や薄暗い場所における作業も安全に行うことができる。
【００４２】
図１及び図２に示すように、本実施の形態に係る発光装置１６のスイッチ部材１３は、使用者の体重を検知して回路２３を閉成する感圧スイッチ１３ａから構成され、使用者の足が感圧スイッチ１３ａ上に乗ることにより感圧スイッチ１３ａがＯＮ動作することから、使用者が履いた際には迅速に発光装置１６が作動して発光し、また使用者が脱いだ際には感圧スイッチ１３ａがＯＦＦ動作し発光装置１６の作動が停止するため、使用者は難しい操作を行うことなくファッション性を有し、外観品質が向上した地下足袋１０を履くことができる。
【００４３】
図３に示すように、本実施の形態に係る地下足袋１０にあっては、踵部１７には上方に開口する凹部２０が形成され、凹部２０内に発光装置１６が収納されるように構成されていることから、発光装置１６が損傷することなく地下足袋１０に装着することができる。
また、踵部１７内から窓部３２、３２を介して踵部１７側方へ発光させることができる。
【００４４】
従って、使用者は容易に発光装置１６を凹部２０内に装着できる。
また、踵部１７からは発光装置１６から発光される発光部材１４、１５の発光色を他人が見ることができることから、例えば、薄暗い時間帯や薄暗い場所での作業をしている使用者を遠くからでもはっきりと確認することができる。
【００４５】
図１及び図２に示すように、本実施の形態に係る地下足袋１０にあっては、発光部材１４、１５は、単色又は一定の速度で色が変化するＬＥＤ電球から構成されていることから、使用者は、好みの発光色を選択することが可能となるので、使用者は他人とは異なる、自分のオリジナルの地下足袋１０を所持することができる。
【００４６】
従って、使用者はファッション性の高い地下足袋１０を仕事中に履くことができる。
【００４７】
図１及び図２に示すように、本実施の形態に係る地下足袋１０にあっては、発光部材１４、１５は衝撃吸収材２１を介して収納容器１９内に収納されていることから、歩行時に発光部材１４、１５等に伝わる振動及び衝撃を軽減させるため、より確実に歩行中に発光装置１６を構成する部材の破損を防ぐことができる。
【００４８】
図１及び図２に示すように、本実施の形態に係る地下足袋１０にあっては、スイッチ部材１３として、感圧スイッチ１３ａが作動することにより回路２３を閉成させうる基本電源スイッチ１３ｂをさらに有し、基本電源スイッチ１３ｂは収納容器１９の外方に突出して開閉操作しうるレバー部材２２を有することから、使用者は、容易にレバー部材２２を操作して発光装置１６を作動させることができる。
【００４９】
従って、使用者の判断によって自由に基本電源スイッチ１３ｂを作動させることが可能となるので、作業場所や周囲の状況に合わせて発光の有無を決めることができる。
【００５０】
図１及び図２に示すように、本実施の形態に係る地下足袋１０にあっては、収納容器１９には、収納容器１９の蓋部１８を開閉するための突起部２４が設けられていることから、使用者は容易に収納容器１９の蓋部１８を開閉することができるので、電池１２の交換を容易に行うことができる。
【００５１】
図１、図２及び図４に示すように、本実施の形態に係る地下足袋１０にあっては、発光装置１６を構成する部材は、プリント基板１１上に配設された、電池１２と、電池１２から供給される電源の開閉操作を行うスイッチ部材１３と、スイッチ部材１３により回路２３が閉成された場合に発光する発光部材１４、１５の他に、抵抗器２５、２７、トランジスタ２６、コンデンサ２８が配設されていることから、発光装置１６は入手が容易であり、一般に普及されている部材で製造することができる。
【００５２】
従って、発光装置１６は一般に普及されている部材のみで製造することができることから、部材にかかるコストを削減できるので製造コストを削減することができる。
【００５３】
図１及び図２に示すように、本実施の形態に係る地下足袋１０にあっては、発光装置１６を作動させるために電池１２を２枚必要とし、電池１２は上下に２枚重ねて電池収納部２９に収納されていることから、電池収納部２９にしっかりと保持されるので、電池１２は発光装置１６内で外れることなく使用することができる。
【００５４】
また、電池１２は薄型のコイン型電池であり、電池１２を上下に２枚重ねた場合においても総厚さが数ｍｍであることから、収納するための電池収納部３０の厚さを薄く設計することができる。
【００５５】
従って、発光装置１６を軽量化することができる。
【００５６】
図２に示すように、本実施の形態に係る地下足袋１０にあっては、凹部２０を覆うように中敷き３０とゴムパッキン３１が重ねて載置されているので、使用者が靴を脱いだ際に、発光装置１６が外側から見えることを防ぐことができる。
【００５７】
図２に示すように、本実施の形態に係る地下足袋１０にあっては、踵部１７には、合成樹脂製である透明部材から構成される窓部３２、３２が設けられ、凹部２０と窓部３２、３２が略平行に並ぶように構成されているので、発光装置１６が作動している場合には、窓部３２、３２から単色又は一定の速度で色が変化している発光色を見ることができる。
【００５８】
従って、使用者が薄暗くなる時間帯の作業や薄暗い場所で作業を行っている場合においても、他の作業者から容易に使用者の居場所を特定することができることから、使用者は安全に作業を行うことができる。
【００５９】
図２に示すように、本実施の形態に係る地下足袋１０にあっては、靴底３３の底部からやや上方向に設けられた、上方に開口する凹部２０は略直方体形状に構成されていることから、凹部２０の構造は複雑ではないため、靴底３３に凹部２０を形成するための工程は短時間で完了させることができる。
【産業上の利用可能性】
【００６０】
本考案は、ファッション性をもたらし、外観品質を向上させることができると共に、使用者の安全性の向上も図れる地下足袋であることから産業上の利用可能性を有している。
【符号の説明】
【００６１】
１０…地下足袋
１１…プリント基板
１２…電池
１３…スイッチ部材
１３ａ…感圧スイッチ
１３ｂ…基本電源スイッチ
１４…発光部材
１５…発光部材
１６…発光装置
１７…踵部
１８…蓋部
１９…収納容器
２０…凹部
２１…衝撃吸収材
２２…レバー部材
２３…回路
２４…突起部
２５…抵抗器
２６…トランジスタ
２７…抵抗器
２８…コンデンサ
２９…電池収納部
３０…中敷き
３１…ゴムパッキン
３２…窓部
３３…靴底
【図１】
0003212322.tif 000003
【図２】
0003212322.tif 000004
【図３】
0003212322.tif 000005
【図４】
0003212322.tif 000006
【手続補正書】
【提出日】平成29年7月6日(2017.7.6)
【手続補正１】
【補正対象書類名】実用新案登録請求の範囲
【補正対象項目名】全文
【補正方法】変更
【補正の内容】
【実用新案登録請求の範囲】
【請求項１】
プリント基板と、前記プリント基板上に配設された、電池と、前記電池から供給される電源の開閉操作を行うスイッチ部材と、前記スイッチ部材により回路が閉成された場合に発光する発光部材とを有する発光装置が踵部に埋設され、
前記発光装置は開閉可能に形成された蓋部を有する収納容器内に収納され、前記蓋部を閉めた状態で踵部内に取り出し可能に埋設されていると共に前記踵部には前記発光装置が発光した際の光を外方へ導く窓部が設けられていることを特徴とする地下足袋。
【請求項２】
前記スイッチ部材は、使用者の体重を検知して回路を閉成する感圧スイッチであることを特徴とする請求項１記載の地下足袋。
【請求項３】
前記踵部には上方に開口する凹部が形成され、前記凹部内に前記発光装置が収納されていることを特徴とする請求項１記載の地下足袋。
【請求項４】
前記発光部材は、単色又は一定の速度で色が変化するＬＥＤ電球であることを特徴とする請求項１記載の地下足袋。
【請求項５】
前記発光部材は衝撃吸収材を介して前記収納容器内に収納されていることを特徴とする請求項１記載の地下足袋。    
【請求項６】
前記スイッチ部材として、前記感圧スイッチが作動することにより回路を閉成させうる基本電源スイッチをさらに有し、前記基本電源スイッチは前記収納容器の外方に突出して開閉操作しうるレバー部材を有することを特徴とする請求項２記載の地下足袋。